(57)【特許請求の範囲】
【請求項１】
ハウジングと、ハウジング内に設置された第１の自動洗濯システム及び第２の自動洗濯システムと、を備える洗濯分類機能を有する洗濯機であって、
前記第１の自動洗濯システムは第１の外筒を備え、前記第２の自動洗濯システムは内筒及び第２の外筒を備え、前記ハウジングは、前記第１の自動洗濯システムを収容する第１の洗濯領域と、前記第２の自動洗濯システムを収容する第２の洗濯領域とを有し、前記第１の洗濯領域と前記第２の洗濯領域とは左右方向に設置され、前記ハウジングの頂部は正方形であり、前記第１の自動洗濯システムの前記第１の外筒の軸線及び第２の自動洗濯システムの前記第２の外筒の軸線が位置する垂直面と、前記ハウジングの頂部の中心線が位置する垂直面とが角度を形成し、前記第２の外筒に外筒蓋が設けられ、前記外筒蓋に衣類投入口と、前記衣類投入口を摺動可能に開閉する内蓋と、が設置され、前記ハウジング内には開いた状態である前記内蓋を収容する収容領域を有し、前記内蓋の左右両端から外方へ延出されるように水平方向に摺動片が形成され、前記衣類投入口の左右両側の前記外筒蓋にニ本の押圧片が設置され、前記押圧片と前記外筒蓋との間に前記摺動片を収容する摺動路が形成されており、前記外筒蓋に、前記内蓋の閉鎖方向に向けて上方に傾斜するように且つ前記内蓋の下面に接触するようにワイパーブレードがさらに設置され、前記内蓋を開放する時、前記ワイパーブレードは前記内蓋の下面にある水滴を掻き取り、前記水滴を前記内筒内に滴下させることを特徴とする洗濯分類機能を有する洗濯機。
【請求項２】
前記第１の自動洗濯システムと前記第２の自動洗濯システムとのいずれも、全自動洗濯システムであり、前記第１の自動洗濯システムと前記第２の自動洗濯システムの給水システムと排水システムとが共通することを特徴とする請求項１に記載の洗濯分類機能を有する洗濯機。
【請求項３】
前記第１の自動洗濯システムと前記第２の自動洗濯システムは、同一の制御システムを有し、前記制御システムによって、前記第１の自動洗濯システムと前記第２の自動洗濯システムが時間をずらして脱水行程を起動させるよう制御することを特徴とする請求項１に記載の洗濯分類機能を有する洗濯機。
【請求項４】
さらに、前記ハウジングは、それぞれ前記第１の洗濯領域と前記第２の洗濯領域に隣接するサブ機能領域を有し、前記サブ機能領域と前記第２の洗濯領域とが前後に設置され、前記サブ機能領域と前記第１の洗濯領域とが左右方向に設置されることを特徴とする請求項１に記載の洗濯分類機能を有する洗濯機。
【請求項５】
前記サブ機能領域に収納モジュール、または第３の自動洗濯システムが設置されていることを特徴とする請求項４に記載の洗濯分類機能を有する洗濯機。
【請求項６】
洗濯分類機能を有する洗濯機は動作表示モジュールをさらに備え、前記動作表示モジュールは前記サブ機能領域の頂部に設置されることを特徴とする請求項４に記載の洗濯分類機能を有する洗濯機。
【請求項７】
前記第１の外筒と前記第２の外筒との間の最短距離は１５ｍｍ〜３０ｍｍとすることを特徴とする請求項１から６のいずれかの一項に記載の洗濯分類機能を有する洗濯機。
【請求項８】
前記ハウジングは、フレーム体と、フレームの外側に設置された筺体と、備え、前記フレーム体は、上部フレームと、ベースと、前記上部フレームと前記ベースとの間に設置され、前記上部フレームと前記ベースを連結する複数の縦梁と、を備え、前記上部フレームに前後方向の上部中梁が設置され、前記ベースに前後方向の下部中梁が設置され、前記上部中梁と下部中梁が位置する垂直面は、前記ハウジングが囲む空間を左右の両部分に仕切されることを特徴とする請求項１から６のいずれかの一項に記載の洗濯分類機能を有する洗濯機。
【請求項９】
前記上部中梁は第１の自動洗濯システムを支持する第１の吊設構造と、第２の自動洗濯システムを支持する第２の吊設構造と、を有し、前記上部中梁と、前記第１の吊設構造と、前記第２の吊設構造とが一体に成形されたことを特徴とする請求項８に記載の洗濯分類機能を有する洗濯機。
【発明の詳細な説明】
【技術分野】
【０００１】
本発明は、洗濯機の技術分野に属し、具体的には、洗濯分類機能を有する洗濯機に関する。
【背景技術】
【０００２】
現在、一般的に各家庭が洗濯機を持ち、洗濯機は、私たちの生活の必需品となっている。しかし、日常生活の中で、異なる種類の衣服を洗濯機の中で一緒に洗濯することができず、分類した後にそれぞれ洗濯機で洗濯する必要があり、例えば、下着と上着を分類したり、幼児と大人の衣類を分類したり、異なる色の衣類を分類したり、異なる汚れ具合の衣類を分類したり、異なる材料の衣類を分類して洗濯するなどの必要がある。より多くの衣類を洗濯する場合、分類した後に複数回洗濯すると、洗濯に時間が長くかかってしまうことになる。下着や幼児服などの小さな衣類を洗濯する場合、または少量の衣類を洗濯する場合、従来技術の大型洗濯機は、好ましい実施形態ではない。一般的に、場所をとるため、さらにもう一台の洗濯機を購入することはない。また、もし一部分の衣類を手で洗濯する場合、手間や面倒がかかり、濯ぎが不十分となることもある。
【発明の概要】
【発明が解決しようとする課題】
【０００３】
本発明は、洗濯分類機能を有する洗濯機を提供し、ハウジング内に第１の自動洗濯システム及び第２の自動洗濯システムが設置されたことによって、同一の洗濯機が洗濯分類機能を有することを実現することができる。
【課題を解決するための手段】
【０００４】
上記の技術的目的を達成するために、本発明は、次の技術的解決手段を用いて実現する。
【０００５】
ハウジングと、ハウジング内に設置された第１の自動洗濯システム及び第２の自動洗濯システムと、を備える洗濯分類機能を有する洗濯機であって、前記ハウジングは、前記第１の自動洗濯システムを収容する第１の洗濯領域と、前記第２の自動洗濯システムを収容する第２の洗濯領域とを有し、前記第１の洗濯領域と前記第２の洗濯領域とは左右方向に設置され、前記第１の自動洗濯システムの軸線及び第２の自動洗濯システムの軸線とが位置する垂直面と、前記洗濯分類機能を有する洗濯機の頂部の中心線が位置する垂直面とが角度を形成する。
【０００６】
さらに、前記角度は１０度〜２０度とする。
【０００７】
好ましくは、前記角度が１３度または１６度とする。
【０００８】
さらに、前記第１の自動洗濯システムと前記第２の自動洗濯システムとのいずれも、全自動洗濯システムであり、前記第１の自動洗濯システムと前記第２の自動洗濯システムの給水システムと排水システムとが共通する。
【０００９】
さらに、前記第１の自動洗濯システムと前記第２の自動洗濯システムは、同一の制御システムを有し、前記制御システムによって、前記第１の自動洗濯システムと前記第２の自動洗濯システムが時間をずらして脱水行程を起動させるよう制御する。
【００１０】
さらに、前記第１の自動洗濯システムの洗濯容量は前記第２の自動洗濯システムの洗濯容量より大きい。
【００１１】
さらに、前記ハウジングは、それぞれ前記第１の洗濯領域と前記第２の洗濯領域に隣接するサブ機能領域を有する。
【００１２】
さらに、前記サブ機能領域は前記第１の洗濯領域と第２洗濯領域で半分に囲まれている。
【００１３】
さらに、前記サブ機能領域と前記第２洗濯領域とが前後に設置されている。
【００１４】
さらに、前記サブ機能領域と前記第１洗濯領域とが左右方向に設置されている。
【００１５】
さらに、前記サブ機能領域に収納モジュールが設置されている。
【００１６】
さらに、前記サブ機能領域に健康モジュールが設置されている。
【００１７】
さらに、前記サブ機能領域に第３の自動洗濯システムが設置されている。
【００１８】
さらに、洗濯分類機能を有する洗濯機は動作表示モジュールをさらに備え、前記動作表示モジュールは前記サブ機能領域の頂部に設置される。
【００１９】
さらに、前記第１の自動洗濯システムと前記第２の自動洗濯システムは、パルセーター式全自動洗濯システムである。
【００２０】
さらに、前記第１の自動洗濯システムは第１の外筒を備え、前記第２の自動洗濯システムは第２の外筒を備え、前記第１の外筒と前記第２の外筒との間の最短距離は１５ｍｍ〜３０ｍｍとする。
【００２１】
好ましくは、前記第１の外筒と前記第２の外筒との間の最短距離は２５ｍｍとする。
【００２２】
ハウジングの強度を増大するために、前記ハウジングは、フレーム体と、フレームの外側に設置された筺体と、備え、前記フレーム体は、上部フレームと、ベースと、前記上部フレームとベースとの間に設置され、両方を連結する複数の縦梁と、を備え、前記上部フレームに前後方向の上部中梁が設置され、前記ベースに前後方向の下部中梁が設置され、前記上部中梁と下部中梁が位置する垂直面は、前記ハウジングが囲む空間を左右の両部分に仕切る。
【００２３】
さらに、前記第１の洗濯領域は一側に位置し、前記第２洗濯領域とサブ洗濯領域は他側に位置する。
【００２４】
さらに、前記上部中梁は第１の自動洗濯システムを支持する第１の吊設構造と、第２の自動洗濯システムを支持する第２の吊設構造と、を有し、前記上部中梁と、前記第１の吊設構造と、前記第２の吊設構造とが一体に成形された。
【００２５】
さらに、第１の自動洗濯システムはサスペンションによって前記第１の吊設構造に吊設され、前記第１の吊設構造は凹形収納部を有し、前記凹形収納部の底部にサスペンションに適合する凸状の動作孔が開設され、前記第１の吊設構造に前記サスペンションの出入り用の動作孔通路が設置されている。
【００２６】
さらに、前記動作孔は漏斗状の作業面を介して前記凹形収納部の底部と連結され、前記作業面は、前記サスペンションに接触する。
【００２７】
さらに、前記第１の吊設構造の内側に下向きに折り曲げた縁部がさらに設置されている。
【００２８】
さらに、前記第２の吊設構造は垂直方向に設置されたラグであり、前記ラグに貫通孔が開設されている。
【００２９】
前記ベースに前記第１の洗濯領域が位置する大正方形領域と、前記第２洗濯領域が位置する小正方形領域と、前記サブ機能領域が位置する隅部領域と、を備え、前記大正方形領域は前部基底梁を有し、前記小正方形領域は側部基底梁を有し、前記前部基底梁と側部基底梁が相互に相手側に延出して前部延出基底梁と側部延出基底梁が形成され、前記隅部領域は隅部基底梁を有し、前記隅部基底梁は前記前部延出基底梁と、前記側部延出基底梁と、前記前部延出基底梁と前記側部延出基底梁を連結する円弧状梁と、を備える。
【００３０】
さらに、上部フレームは前記隅部基底梁に対応し、同じ構成を有する隅部上梁を有する。
【００３１】
さらに、前記上部フレームは、前記第１の洗濯領域が位置する大きい四角枠と、前記第２の洗濯領域が位置する小さい四角枠と、を備え、前記上部中梁は大きい四角枠と小さい四角枠の共通縁部であり、前記大きい四角枠の４つの隅部に前記第１の自動洗濯システムを支持する前記第１の吊設構造が設置され、前記小さい四角枠の４つの隅部に前記第２の自動洗濯システムを支持する前記第２の吊設構造が設置されている。
【００３２】
さらに、前記縦梁の横断面は中部に内向きに突起した波形状を有し、両端にそれぞれ内向側に向かって折り曲げた延出部を有する。
【００３３】
さらに、前記第２の自動洗濯システムは第２の外筒を備え、前記第２の外筒に外筒蓋が設けられ、前記外筒蓋に衣類投入口と、前記衣類投入口を摺動可能に開閉する内蓋と、が設置され、前記ハウジングは開いた状態である前記内蓋を収容する収容領域を有する。
【００３４】
さらに、前記ハウジング内には、前記衣類投入口を閉鎖する閉鎖位置から前記衣類投入口を開放する位置まで水平に摺動する前記内蓋を収容できる収容領域を有する。
【００３５】
さらに、前記内蓋の左右両端から外方へ延出されるように水平方向に摺動片が形成され、前記衣類投入口の左右両側の前記外筒蓋にニ本の押圧片が設置され、前記押圧片と外筒蓋との間に前記摺動片を収容する摺動路が形成されている。
【００３６】
さらに、前記摺動片はさらに上向きに折り曲げた縁部を有し、前記押圧片の内側は下向きに湾曲した縁部を有し、前記上向きに折り曲げた縁部は前記下向きに湾曲した縁部より外側に位置する。
【００３７】
さらに、前記押圧片はさらに下向きに垂直したバッフル板を有し、前記上向きに折り曲げた縁部は、前記押圧片と、前記下向きに垂直したバッフル板と、下向きに湾曲した縁部とで囲まれる空間に位置する。
【００３８】
さらに、前記外筒蓋に前記押圧片を設置する複数の取付柱が設置され、隣接した前記取付柱との間にニ本の取付柱を連結する連結板が設置されている。
【００３９】
さらに、前記内蓋と前記外筒蓋に相互に協働する位置決め構造が設置され、前記位置決め構造は位置決め柱と係合溝である。
【００４０】
さらに、前記外筒蓋の前部に位置決め柱が設置され、前記内蓋の下面に係合溝が設置され、前記係合溝の一端に内向き湾曲した係合爪が設置され、前記係合爪の端部に外向きに湾曲した縁部が設置され、前記係合溝の他端は外方へ延出してガイド部が形成され、前記内蓋が前記衣類投入口の閉鎖位置に摺動した時、前記位置決め柱は前記係合溝に位置する。
【００４１】
さらに、前記内蓋は上向きのアーチ型構造であり、前記内蓋の周りは外方へ延出して水平のシール縁部が形成されている。
【００４２】
さらに、前記シール縁部はそれに接触された外筒蓋と密着する。
【００４３】
さらに、前記外筒蓋に受け板が設置され、前記内蓋が開放した時、前記内蓋が前記外筒蓋から前記受け板に摺動する。
【００４４】
さらに、前記受け板の上面と前記外筒蓋の上面とが同一の水平面にある。
【００４５】
さらに、前記外筒蓋に前記内蓋に制御された微動スイッチが固定され、前記内蓋が閉鎖位置にある時、前記微動スイッチがオンとなる。前記内蓋が開放位置にある時、前記微動スイッチがオフとなる。
【００４６】
さらに、前記微動スイッチは前記外筒蓋の後部に設置し、前記微動スイッチに前向きに突出したスイッチプローブが設置され、前記内蓋が閉鎖位置にある時、前記内蓋は前記スイッチプローブと接触し、前記微動スイッチをオンにする。
【００４７】
さらに、前記内蓋に前記スイッチプローブに適合する接触子が設置され、前記内蓋が閉鎖位置にある時、前記接触子は前記スイッチプローブと接触し、前記微動スイッチをオンにする。
【００４８】
さらに、前記外筒蓋に放置ケースが設置され、前記微動スイッチは前記放置ケースに位置し、前記放置ケースの前壁に前記スイッチプローブが伸出するための貫通孔が開設されている。
【００４９】
さらに、前記外筒蓋の後部にストッパ−バッフルが設置され、前記内蓋が閉鎖位置にある時、前記内蓋の後端はストッパ−バッフルと接触する。
【００５０】
さらに、前記外筒蓋にワイパーブレードがさらに設置され、前記内蓋が開放する時、前記ワイパーブレードは前記内蓋の下面にある水滴を掻き取る。
【００５１】
さらに、前記ワイパーブレードの上部は前記内蓋の下面と接触する。
【００５２】
さらに、前記ワイパーブレードが前記内蓋の閉鎖方向へ傾斜し、且つ所定角度で浮き上がる。
【００５３】
好ましくは、前記ワイパーブレードと前記内筒蓋が位置する水平面によって形成された角度は、１０度〜３０度とする。
【００５４】
さらに、前記ワイパーブレードは、弾性を有する材料で形成されている。
【００５５】
さらに、前記ワイパーブレードの下端に取付ブロックが設置され、前記内筒蓋に前記取付ブロックと適合する取付溝が開設され、前記取付ブロックは前記取付溝に位置する。
【００５６】
さらに、前記取付ブロックと前記取付溝に適合する固定構造が設置され、固定構造は固定孔と固定柱とを備える。
【発明の効果】
【００５７】
従来技術と比較して、本発明の利点及び有益な効果は、次の通りである。即ち、本発明が洗濯分類機能を有する洗濯機を提供し、ハウジング内に第１の自動洗濯システムと第２の自動洗濯システムとが設置され、一台の洗濯機が二つの自動洗濯システムを有し、同一の洗濯機が洗濯を分類する機能を有することを実現し、ユーザは、ニーズに従って１つの自動洗濯システムを起動するか、または二つの自動洗濯システムを同時に起動するかを選択することができる。前記第１の自動洗濯システムの軸線及び第２の自動洗濯システムの軸線が位置する垂直面と、前記洗濯分類機能を有する洗濯機の頂部の中心線が位置する垂直面とが角度を形成することによって、二つの自動洗濯システムはハウジング内によりコンパクトに配置され、洗濯分類機能を有する洗濯機の容量を減少させる。
【図面の簡単な説明】
【００５８】
図面を併せて本発明の実施形態の詳細な記載を閲覧した後、本発明の他の特徴と利点がより明確になる。
【００５９】
図面の説明。
【００６０】
【図１】本発明に係る洗濯分類機能を有する洗濯機の一実施例の構成模式図である。
【００６１】
【図２】図１の他の角度で見た構成模式図である。
【００６２】
【図３】図１のハウジングの一具体的な実施例の構成模式図である。
【００６３】
【図４】図１の断面の構成模式図である。
【００６４】
【図５】図３の左板の構成模式図である。
【００６５】
【図６】図３フレーム体の一具体的な実施例の構成模式図である。
【００６６】
【図７】図６の上部フレームの拡大構成模式図である。
【００６７】
【図８】図７のＡ領域の拡大構成模式図である。
【００６８】
【図９】図６のベースの拡大構成模式図である。
【００６９】
【図１０】図６の縦梁の一断面の拡大構成模式図である。
【００７０】
【図１１】図３のフレーム体のもう一つの実施例の構成模式図である。
【００７１】
【図１２】図１１のＢ領域の拡大構成模式図である。
【００７２】
【図１３】図４のＣ領域の拡大構成模式図である。
【００７３】
【図１４】図１の第２の自動洗濯システムの部分的分解の構成模式図である。
【００７４】
【図１５】図１４のＤ領域の拡大構成模式図である。
【００７５】
【図１６】図１４の外筒蓋の拡大構成模式図である。
【００７６】
【図１７】図１６の取付後の構造簡略平面図である。
【００７７】
【図１８】図１７のＥ−Ｅ方向の構成簡略断面図である。
【００７８】
【図１９】図１８のＦ領域の拡大構成模式図である。
【００７９】
【図２０】図１６の外筒蓋の位置決め箇所の構成簡略断面図である。
【００８０】
【図２１】図２０のＧ領域の拡大構成模式図である。
【００８１】
【図２２】図１６の部分的構成模式図である。
【００８２】
【図２３】図２２のＨ領域の拡大構成模式図である。
【００８３】
【図２４】図２２のＩ−Ｉ方向の構造簡略断面図である。
【００８４】
【図２５】図２４のＫ領域の拡大構成模式図である。
【００８５】
【図２６】図１６の微動スイッチの箇所の局部的拡大構成模式図である。
【００８６】
【図２７】図２６のＬ領域の拡大構成模式図である。
【発明を実施するための形態】
【００８７】
本発明の実施例の目的、技術的解決手段及び利点をより明確するために、次に本発明の実施例の図面を併せて本発明の実施例の技術的解決手段を明白に、詳細に説明する。
【００８８】
本発明の記載では、言及すべきなのは、用語「上」、「下」、「左」、「右」、「前」、「後」などは、図面に示す方向や位置関係に基づいて、方向または位置関係を示し、本発明の説明を容易、かつ簡便にするのに用いるが、装置や部品が必ず特定方向となることや、特定構成及び操作を表示や暗示することではない。従って、本発明を限定するものと解釈されない。また、用語「第１」、「第２」は、説明の目的を示すのに用いて、相対的な重要度を表示や暗示すると理解されない。
【００８９】
図１〜図３に示すように、本発明に係る洗濯分類機能を有する洗濯機の一実施例であり、洗濯分類機能を有する洗濯機は、ハウジング１と、ハウジング１に設置された第１の自動洗濯システム２及び第２の自動洗濯システム３と、を備え、ユーザがニーズに従って衣類を分類して洗濯でき、エネルギーを節約でき、衛生的である。また、異なる種類の衣類を二つの洗濯システムで同時に洗濯でき、ユーザの洗濯時間を節約した。
【００９０】
ハウジング１内の二つの洗濯システムの配置関係をよりよく説明するために、以下のように符号を付ける。ハウジングに第１の自動洗濯システム２を収容する領域は第１の洗濯領域４であり、ハウジングに第２の自動洗濯システム３を収容する領域は第２の洗濯領域５であり、第１の洗濯領域４と第２の洗濯領域とは左右方向に設置され、つまり、二つの自動洗濯システムも左右方向に設置されている。第１の自動洗濯システム２の軸線及び第２の自動洗濯システム３の軸線が位置する垂直面と、ハウジングの頂部の中心線が位置する垂直面とが角度を形成し、ハウジングの頂部の中心線は、ハウジング１で囲まれる頂部が位置する正方形の平面の中心線であり、ハウジングの頂部の中心線は、前後方向と左右方向の二本の中心線を有し、即ち、第１の自動洗濯システム２の軸線及び第２の自動洗濯システム３の軸線が位置する垂直面と、ハウジング１の中心線が位置する左右方向若しくは前後方向の垂直面とが角度を形成し、即ち、第１の自動洗濯システム２の軸線及び第２の自動洗濯システム３の軸線が位置する垂直面と、ハウジング１の前面若しくはハウジング１の後面とが平行せず、少なくとも一つの自動洗濯システムの軸線は、ハウジング１の中心線が位置する左右方向の垂直面を外れ、ハウジング１の中心線が位置する左右方向の垂直面の前方若しくはハウジング１の中心線が位置する左右方向の垂直面の後方にある。第１自動洗濯システム２と第２自動洗濯システム３は円筒形の構造であり、第１の自動洗濯システム２の軸線と第２の自動洗濯システム３の軸線との間の距離は、一定の範囲内であるので、第１自動洗濯システム２と第２自動洗濯システム３とが必要な左右方向の長さが小さく、つまり、ハウジング１の左右方向の長さを減少し、洗濯分類機能を有する洗濯機の容積を減少し、占用する室内空間が少ない。第１自動洗濯システム２と第２自動洗濯システム３の配置はよりコンパクトになる。
【００９１】
説明した実施例では、第１の自動洗濯システム２の軸線及び第２の自動洗濯システム３の軸線が位置する垂直面と、ハウジングの頂部の中心線が位置する垂直面とが形成された角度を１０度〜２０度に設置する。
【００９２】
第１の自動洗濯システム２と第２の自動洗濯システム３とのいずれも、全自動洗濯システムであり、第１自動洗濯システム２の洗濯容量は第２の自動洗濯システム３の洗濯容量より大きく、つまり、異なる洗濯容量の二つの洗濯システムを有する。小さな衣類または少ない衣類を第２自動洗濯システム３で洗濯することができる。二つの自動洗濯システムの洗濯容量が異なるので、二つの自動洗濯システムは占用の空間が異なり、つまり、第１の洗濯領域４は第２の洗濯領域５より大きい。ハウジング１内の空間をより有効的に利用するために、ハウジング１内にそれぞれ第１洗濯領域４と、第２洗濯領域５と隣接したサブ機能領域６を有する。合理的に配置することによって、ハウジング１内にサブ機能領域６を設置し、ハウジング１内の空間をより有効的に利用し、ハウジング１内の空間の利用率を増加する。
【００９３】
説明した実施例では、洗濯分類機能を有する洗濯機の部品を減少させるために、第１自動洗濯システム２と第２自動洗濯システム３の給水システムと排水システムとが共通する。共通の給水システムと排水システムが設置されることによって、分離洗濯機の部品を減少し、ハウジング１内の空間を節約し、材料のコストを低減する。
【００９４】
説明した実施例では、洗濯分類機能を有する洗濯機は第１自動洗濯システム２と第２自動洗濯システム３を制御する同一の制御システムを有し、制御システムは、第１自動洗濯システム２と第２自動洗濯システム３が同時に脱水行程を起動させないよう制御し、二つの自動洗濯システムは同時に搖動が大きい時に衝突することを防止する。例えば、時間をずらして脱水行程に進入し、時間をずらして起動させるように自動洗濯システムを制御する。
【００９５】
説明した実施例では、サブ機能領域６を収納モジュールとして設置してよく、具体的には、サブ機能領域６を収納モジュールとして設置し、ユーザが洗濯する時、洗濯液や洗剤を取り入れるのに便利であり、洗濯用品を置くために、洗濯分類機能を有する洗濯機が収納機能を有する。勿論、サブ機能領域６を健康モジュールとして設置してもよく、例えば、殺菌消毒モジュールを設置し、洗濯した衣類に殺菌消毒を行う。また、サブ機能領域６に第３の自動洗濯システムを設置してもよく、第３の自動洗濯システムの洗濯容量は第２の自動洗濯システムの洗濯容量に等しく、または第２の自動洗濯システムの洗濯容量より小さくしてもよく、ユーザがより細かく分類洗濯を行い、例えば、幼児衣類と大人の下着がそれぞれ自動洗濯システムを専用とすることができる。
【００９６】
説明した実施例では、サブ機能領域６は、第２の洗濯領域５と前後に隣接して設置し、第１の洗濯領域４と左右方向に隣接して設置し、つまり、サブ機能領域６は、第１の洗濯領域４と第２の洗濯領域５で半分に囲まれ、またはサブ機能領域６及び第２の洗濯領域５の前後距離は、第１の洗濯領域４の前後距離と等しい。具体的には、ハウジング１内の左側は、第１の洗濯領域４であり、右側の後部は第２の洗濯領域５であり、右側の前部はサブ機能領域６である。勿論、第２の洗濯領域５はサブ機能領域６の前後位置と置換してもよく、または第１の洗濯領域４はハウジング内の右側に位置してもよい。
【００９７】
次に、本実施例における洗濯分類機能を有する洗濯機の各部分の構成を説明する。その洗濯分類機能を有する洗濯機の各部分の構成は、下記の実施例に限定されるものではないと理解すべきである。
【００９８】
図２〜図４に示すように、ハウジング１内の第１の自動洗濯システム２と第２の自動洗濯システム３とも、パルセーター式全自動洗濯システムであり、ハウジング１内の左側は第１の洗濯領域４であり、右側後部は第２の洗濯領域５であり、右側前部はサブ機能領域６、サブ機能領域６に収納庫が設置されている。美しい外観を形成するために、サブ機能領域６が円弧状に設置され、つまり、ハウジング１の前右隅部が円弧状である。第１の洗濯領域４の頂部に第１の自動洗濯システム２の衣類投入口を開閉する第１の上部蓋２１が設置され、第２の洗濯領域５の頂部に第２の自動洗濯システム３の衣類投入口を開閉する第２の上部蓋３１が設置され、つまり、ハウジング１の頂部に第１の上部蓋２１と第２の上部蓋３１を有する。ハウジング１の外観の美しさ及び操作の利便性のために、二つの自動洗濯システムの動作表示モジュール７を一体にし、動作表示モジュール７をサブ機能領域６の頂部に設置する。動作表示モジュール７にそれぞれ二つの自動洗濯システムを操作するキーまたはタッチスクリーンのオプションが設置され、動作表示モジュール７はハーネスを介してそれぞれ第１の自動洗濯システム２の作動を制御する第１の制御モジュールと第２の自動洗濯システム３の作動を制御する第２の制御モジュールとが電気的に接続されている。動作表示モジュール７をサブ機能領域６の頂部に設置するのは、外観の美しさだけでなく、操作領域を集中させ、操作を便利にし、さらに製造コストを低減する。
【００９９】
第１の自動洗濯システム２と第２の自動洗濯システム３とも、パルセーター式全自動洗濯システムが設置され、第１の自動洗濯システム２は第１の外筒２２を有し、第２の自動洗濯システム３は第２の外筒３２を有する。洗濯機の外筒が大きな空間を占用するので、二つの自動洗濯システムの外筒の外径が確定した後、ハウジング１の大きさもほぼ確定する。できるだけハウジング１内のレイアウトをコンパクトにするために、洗濯分類機能を有する洗濯機の全体を小さくし、つまり、ハウジング１を小さくする。自動洗濯システムは、洗濯、特に脱水行程において、外筒が搖動するので、第１の外筒２２と第２の外筒３２との間は十分な距離を有しなければならない。第１自動洗濯システム２及び／または第２の自動洗濯システム３作動行程において、第１の外筒２２と第２の外筒３２とが相互に衝突することによって、摩耗や損傷を引き起こすことを防止する。本実施例では、第１の外筒２２と第２の外筒３２との間の最小距離を１５〜３０ｍｍとすることを選択し、好ましくは、第１の外筒２２と第２の外筒３２との間の最小距離を２５ｍｍとする。勿論、第１の外筒２２と第２の外筒３２との間の最小距離にこのような小さな値を選択することができるのは、自動洗濯システムの作動行程において設置された外筒の安定性、及び二つの外筒の振動ピーク値をずらす制御方法によって実現された。例えば、自動洗濯システムは脱水プログラムを起動する時の外筒の搖動が大きく、洗濯分類機能を有する洗濯機は第１の自動洗濯システム２と第２の自動洗濯システム３を制御するシステムを有し、ユーザは第１の自動洗濯システム２と第２の自動洗濯システム３を同時に選択する時、例えば、第１の自動洗濯システム２と第２の自動洗濯システム３は同時に脱水行程に到達する場合、制御システムは、その一つの自動洗濯システムが脱水行程を起動させ、２〜３秒後にもう一つの自動洗濯システムが脱水行程を再起動するよう制御し、このように、脱水行程を同時に起動しないことによって、二つの外筒の搖動ピーク値をずらす。もう一つの自動洗濯システムが２〜３秒遅れた後に脱水行程を起動するので、ユーザは２〜３秒の遅れをほとんど感じなく、ユーザの製品への満足度に影響を与えない。
【０１００】
第１の外筒２２と第２の外筒３２とも円柱筒であり、第１の外筒２２と第２の外筒３２との間の最短距離は一定である。さらに、できるだけハウジング１内の配置をコンパクトにし、ハウジング１内の空間を合理的に利用するために、第２の外筒３２を第１の外筒２２の隅部に設置し、つまり、第１の外筒２２の軸線、及び第２の外筒３２の軸線が位置する共通の垂直面と、ハウジング１の頂部の中心線を通る垂直面との間が一定の角度を有し、即ち、第１の外筒２２の軸線、及び第２の外筒３２の軸線が位置する共通の垂直面と、ハウジング１の中心線が位置する左右方向の垂直面は一定の角度を有し、つまり、ハウジング１内の左側は第１の洗濯領域４であり、ハウジング１内の右側後部は第２の洗濯領域５であり、ハウジング１内の右側前部はサブ機能領域６である。第２の外筒３２を後方へ、左側へ移動することによって、ハウジング１の左右距離を減少させる。且つ、第１の自動洗濯システム２の洗濯容量が大きく、第１の外筒２２の外径が大きいので、ハウジング１の前後長さも増やす必要がなく、同時にサブ機能領域６の空間を増大させ、使用に便利である。
【０１０１】
第１の外筒２２の軸線、及び第２の外筒３２の軸線が位置する共通の垂直平面と、洗濯分類機能を有する洗濯機の頂部の中心線が位置する垂直面との間の角度の特定値は、第１の外筒２２と、第２の外筒３２との外径比に関連し、または二つの自動洗濯システムの洗濯容量に比例する。第１の外筒２２の中心線、及び第２の外筒３２の中心線が位置する共通の垂直面と、洗濯分類機能を有する洗濯機の頂部の中心線が位置する垂直面との間の角度は、１０度〜２０度とし、好ましくは、角度が１３度または１６度とする。
【０１０２】
図２〜図６に示すように、ハウジング１の構成を説明する。ハウジング１は第１の自動洗濯システム２と第２の自動洗濯システム３を支え、つまり、第１の外筒２２、第２の外筒３２はサスペンションによってハウジング１に吊設されている。ハウジング１に増強に用いるフレーム体１１が設置され、且つフレーム体１１の外側に筺体１２が設置され、フレーム体１１と筺体１２はネジを介して締め付けられ、フレーム体１１と筺体１２はネジを介して締め付けられることによって、フレーム体１１と筺体１２は一体の剛性体になり、ハウジング１のモード振動周波数は１８．９Ｈｚに達し、同時に洗濯機が脱水動作の時の縦方向と横方向のねじり力に耐える十分な強度を有することができる。具体的には、フレーム体１１と筺体１２との間の上部が８本のネジを介して連結され、下部が１５本のネジを介して、各円角の両側及び各円弧の中央が締め付けられて連結されている。
【０１０３】
フレーム体１１は、上部フレーム１１１と、ベース１１２と、を備え、上部フレーム１１１が位置する平面とベース１１２が位置する平面とは平行し、フレーム体１１は、上部フレーム１１１とベース１１２との間に設置され、上部フレーム１１１とベース１１２とを連結する複数の縦梁１１３を備える。フレーム体１１の全体強度を増加するために、さらに部分の縦梁１１３に水平に配置された中横梁１１６が設置される。上部フレーム１１１に前後方向の上部中梁１１１０が設置され、ベース１１２に前後方向の下部中梁１１２０が設置され、このように、上部中梁１１１０と下部中梁１１２０が位置する垂直面は、ハウジング１が囲む空間を左右の両部分に仕切され、第１の洗濯領域４は左側に位置し、第２の洗濯領域５とサブ機能領域６は右側に位置する。ハウジング１にフレーム体１１が設置されることによって、ハウジングの強度を増大し、第１の自動洗濯システム２と第２の自動洗濯システム３を支持するのに用い、ハウジング１を強固にする。図６に示すように、上部中梁１１１０と下部中梁１１２０によってハウジング１内が左右領域に仕切られる。
【０１０４】
筺体１２は、左板１２１と、右板１２２と、後板と、を備え、左板１２１は二回の折り曲げによって前板と、左側板と、一部の後板とが形成され、右板１２２は一回の折り曲げによって右側板と、一部の後板とが形成され、ハウジングの前部の左板１２１と右板１２２との間にサブ機能領域６の収納庫を開閉するための開閉可能な収納庫ドア１２４が設置され、収納庫ドア１２４の横断面がアーチ型である。左板１２１と、右板１２２と、後板と、収納庫ドア１２４を設置することによって、ハウジング１の筺体１２が構成され、ハウジング１の全体構成の外観を美しくし、強度を大きくする。且つ左側板と右側板にＬ字状の補強リブがプレスで形成され、直線状の補強リブに対して、成形プレスの間の溝領域に直線を避けて貫通し、薄板材の座屈不安定の慣性軸を中断し、ハウジング全体の強度を保証する。図３と図５を参照する。
【０１０５】
図６〜図７に示すように、フレーム体１１の１個の具体的実施構造を説明して、フレーム体１１の上部フレーム１１１は、第１の洗濯領域４が位置する大きい四角枠と、第２洗濯領域５が位置する小さい四角枠と、を備え、上部中梁１１１０は大きい四角枠と小さい四角枠の共通辺とする。第１の自動洗濯システム２と第２の自動洗濯システム３とが全てパルセーター全自動洗濯システムとして設置され、第１の自動洗濯システム２の第１の外筒２２は４個のサスペンションによって上部フレーム１１１の大きい四角枠の四隅に吊設され、第２の自動洗濯システム３の第２の外筒３２は４個のサスペンションによって上部フレーム１１１の小さい四角枠の四隅に吊設される。上部フレーム１１１上のサスペンションの吊設箇所の支持力及び強度を増加するために、上部フレーム１１１の大きい四角枠の四隅に第１吊設構造１１４が設置され、上部フレーム１１１の小さい四角枠の四隅に第２吊設構造１１５が設置されている。上部中梁１１１０は大きい四角枠と小さい四角枠の共通辺とし、同時に第１の外筒２２のサスペンションを支持し、第２の外筒３２のサスペンションを支持することに用いて、つまり、上部中梁１１１０は第１の自動洗濯システム２を支持する第１の吊設構造１１４と、第２の自動洗濯システム３を支持する第２の吊設構造１１５とを有し、そして上部中梁１１１０及び第１の吊設構造１１４、第２の吊設構造１１５は、一体に成形されたもので、一体成形構造は構造全体の強度を増加することに役立つ。本実施例では、上部中梁１１１０は鋼板をプレス成型によって成形される。勿論、強度を保証する場合、プラスチック材料を射出成形で一体に成形することができる。
【０１０６】
洗濯機のサスペンションは吊り棒と、吊り棒の上部の吊り棒のベースと、吊り棒の下部のダンパー部品と、を備える。図８に示すように、第１の吊設構造１１４は、サスペンションの吊り棒のベースを収容する凹形収容部１１４１を有し、収容部１１４１の底部に下凸の動作孔１１４２が開設され、サスペンションの吊り棒のベースは動作孔１１４２に吊設される。サスペンションを動作孔１１４２上に吊設することを可能にするために、第１の吊設構造１１４にサスペンションの出入りの動作孔１１４２の通路１１４３が開設され、吊り棒を通路１１４３から動作孔１１４２に吊設する。凹形収納部１１４１を設置することによって第１の吊設構造１１４の強度を向上し、且つサスペンション実装後の安定性を増加した。第１の吊設構造１１４とサスペンションとの接触面積、つまり、動作孔１１４２と吊り棒のベースとの接触面積をさらに増加するために、動作孔１１４２がファンネル形状の動作面１１４４と凹形収納部１１４１の底部と連結するように設置されることによって、ファンネル形状の動作面１１４４はサスペンションの吊り棒のベースと接触する。ファンネル形状の作動面１１４４を設置することによって、動作孔１１４２とサスペンションの吊り棒のベースとの接触面積を増加し、動作孔１１４２の単位面積の受力を減少させ、第１の吊設構造１１４の受力性能を向上し、サスペンションの安定性を向上した。第１の吊設構造１１４の内側に下向きの折り曲げ縁部１１４５が設置され、第１の吊設構造１１４の強度をさらに向上した。第２の吊設構造１１１５も第１の吊設構造１１４と同一構造が設置されている。
【０１０７】
ハウジング１の前右隅部は弧形状であり、つまり、収納庫ドア１２４は弧形状であり、ベース１１２の前右隅部も弧形状として設置されているために、ベース１１２がサブ機能領域６の収納庫に対する支持を増加し、及びベース１１２全体の強度を増加する。図９に示すように、ベース１１２は、第１の洗濯領域４が位置する大正方形領域と、第２の洗濯領域５が位置する小正方形領域と、サブ機能領域が位置する隅部領域と、を備える。具体的には、ベース１１２は相互に平行する底部前梁１１２１と底部後梁１１２２、及び相互に平行した左側基底梁１１２３と底部中梁１１２０と右側基底梁１１２４を有する。底部前梁１１２１と、底部後梁１１２２と、左側基底梁１１２３と、底部中梁１１２０とが囲んだ領域は、第１の洗濯領域４が位置する大正方形領域であり、底部後梁１１２２と、底部中梁１１２０と、右側基底梁１１２４が囲んだ領域は、第２の洗濯領域５が位置する小正方形領域である。前部基底梁１１２１と右側基底梁１１２４とが相互に相手側に延出してそれぞれ前底部延出梁１１２５と側底部延出梁１１２６が形成され、前底部延出梁１１２５と側底部延出梁１１２６との間に円弧状梁１１２７が設置されている。前底部延出梁１１２５と、側底部延出梁１１２６と、円弧状梁１１２７とで隅部領域の隅部基底梁が構成されている。前底部延出梁１１２５と、側底部延出梁１１２６とが設置することによって隅部基底梁の強度を増大させ、円弧状梁１１２７の対応する中心角を大きくすることができ、好ましくは、円弧状梁１１２７の対応する中心角は１００度〜１２０度とする。円弧状梁１１２７の弧度と収納庫ドア１２４の弧度とは等しく、または円弧状梁１１２７の対応する円心は収納庫ドア１２４の対応する円心線に位置する。ベース１１２の強度をさらに増加するために、ベース１１２は一体にプレス成形され、且つベース１１２を構成する各梁に凸字状の補強リブをプレスで成形し、つまり、ベース１１２の強度を増加するために、各梁方向に沿って下向きに突出した凸字状の補強リブは、底部前梁１１２１と、底部後梁１１２２と、左側基底梁１１２３と、底部中梁１１２０と、右側基底梁１１２４と、円弧状梁１１２７との上にプレスで成形する。
【０１０８】
洗濯機が地面に配置するのには、ベース１１２の底に脚を取り付ける必要があり、本実施例では、ベース１１２に全部で５個の脚が取り付けられ、そのうち３個が固定脚であり、２個が可動脚である。固定脚がベース１１２の左側の前後の二つの角部と右後の角部に設置され、可動脚が円弧状梁１１２７と、前底部延出梁１１２５と、側底部延出梁１１２６との連結箇所に設置されている。５個の脚を設置し、及び脚の配置位置によって、洗濯機全体をより良く脚により支持させ、また２個の可動脚を設置することによって、洗濯機を配置する時にさらに平坦の箇所で配置し易くなる。
【０１０９】
上部フレーム１１１とベース１１２との間に５本の縦梁１１３が垂直に設置され、フレーム体１１の左側基底梁１１２３の前後にそれぞれ１本の縦梁１１３が設置され、底部中梁１１２０の前後にそれぞれ１本の縦梁１１３が設置され、右側基底梁１１２４上にも１本の縦梁１１３が設置されている。左側の２本の縦梁１１３との間の距離がフレーム体１１の前後距離より小さく、つまり、２本の縦梁１１３が左側基底梁１１２３の前後の両端点の近傍に設置される。実験によって得たデータによると、図６に示すように、２本の縦梁１１３が左側基底梁１１２３の前後の両端点の近く設置されることは、左側基底梁１１２３の前後の両端点に設置されることに比べ、ハウジング１全体の安定性がより良く、支持能力はさらに強くなる。
【０１１０】
縦梁の強度をさらに増加するために、縦梁１１３を波形板に設置され、縦梁１１３の横断面はＭ字状に近似することとする。縦梁１１３の横断面は中部に内側へ突起する波形１１５１有し、両端がそれぞれ内側に向かって折り曲げた延出部１１５２の形状を有し、２個の延出部１１５２は相互に平行する。ハウジング１の中心に近い方向を内側とする。図１０に示すように、縦梁１１３はこのような構造に設置されることで、縦梁の構造強度を増加しただけでなく、縦梁１１３と筐体１２が組み立てられた構造を安定させる。縦梁１１３と筐体１２が組み立てられた後に、縦梁１１３の内側へ突起する両側は筐体１２と同時に接触し、組み立てられた後の全体の強度を増加した。
【０１１１】
図１１〜図１２に示すように、フレーム体１１のもう一つの具体実施構造を説明し、上記のフレーム体との主な相違点は上部フレームの構造であり、その他の構造は第１実施例のフレーム体の構造と同じである。フレーム体１１のベース１１２は上記に記載した構造と同じである。ベース１１２のベース１１２は相互に平行する底部前梁１１２１と底部基底梁１１２２、相互に平行した左側基底梁１１２３と底部中梁１１２０と右側基底梁１１２４を有する。底部前梁１１２１と、底部後梁１１２２と、左側基底梁１１２３と、底部中梁１１２０とが囲んだ領域は、第１の洗濯領域が位置する大正方形領域とし、底部後梁１１２２と、底部中梁１１２０と、右側基底梁１１２４とが囲んだ領域は、第２の洗濯領域５が位置する小正方形領域とする。前部基底梁１１２１と右側基底梁１１２４とが相互に相手側に延出してそれぞれ前底部延出梁１１２５と側底部延出梁１１２６が形成され、前底部延出梁１１２５と側底部延出梁１１２６との間に円弧状梁１１２７が設置されている。前底部延出梁１１２５と、側底部延出梁１１２６と、円弧状梁１１２７とは隅部領域の隅部基底梁を構成する。フレーム体１１全体の強度を増加するために、上部フレーム１１１はベース１１２と同一の構造を有し、上部フレーム１１１の右後前部に同じく隅部上梁が設置され、隅部上梁と隅部基底梁との構造は同じである。上部フレーム１１１の上左側は第１の洗濯領域４が位置する大きい四角枠とし、大きい四角枠の四隅部に上記と同様の構造である第１吊設構造が設置されている。上部フレーム１１１の右側後部の正方形領域の四隅部に第２の吊設構造１１５が設置され、第２の自動洗濯システムの洗濯容量が小さいので、第２の吊設構造１１５が受ける吊り力も小さく、第２吊設構造１１１５に垂直方向に設置した耳掛け１１１７として設置され、耳掛けに貫通孔が開設されている。
【０１１２】
図４、図１３〜図２５に示すように、第２の自動洗濯システム３の内蓋の設置を説明し、まず第２の外筒中心に近い方向を内側とし、第２の外筒中心から離れた方向を外側とする。第２の自動洗濯システム３の第２の外筒３２は外筒蓋３２１を有し、外筒蓋３２１の頂部に衣類投入に用いる衣類投入口３２１１が設置されている。本実施例では、第２の自動洗濯システム３は加熱機能を有し、洗い行程において加熱する時に水蒸気が外方へ漏れることを防止し、及び高速運転時に内筒にある衣類が飛ばされることを防止するために、外筒蓋３２１に衣類投入口３２１１を摺動可能に開閉する内蓋３３が設置されている。内蓋３３が衣類投入口３２１１を閉鎖する位置を閉鎖位置とし、衣類投入口３２１１を開放する位置を開放位置とすることを定義する。ハウジング１内に閉鎖位置から開放開位置まで水平に摺動できるよう内蓋プ３３を収容する収容領域を有する。ハウジング１内に収容領域を設置することによって、外筒蓋３２１に摺動可能な内蓋３３を設置することができ、つまり、プッシュプルだけで内蓋は、上向きに湾曲した内蓋を設置して以下のことを防止する。即ち、上向きに湾曲した内蓋の内側に補強構造が引き起こす外観の醜さ、上向きに湾曲した内蓋が上部空間を占用する問題、及び衣類を出し入れる時に衣服が上向きに湾曲した内蓋に引っ掛かる問題などである。図４と図１３に示すように、内蓋３３は前後方向に摺動に設置し、内蓋３３は前方へ摺動する時に衣類投入口３２１１を開放し、内蓋３３は収納庫の上方に予めに用意した収容領域に摺動し、つまり、収容領域はハウジング１内のサブ機能領域６の上部一部分空間とし、このように、収納庫は収容領域の下方のサブ機能領域６空間内に設置する。
【０１１３】
内蓋３３は一体型の内蓋とし、構造が簡単であり、全体の強度を大きくする。衣類投入口３２１１の左右両側の外筒蓋３２１に２本の相互に平行する押圧片３４が設置され、押圧片３４は前後に設置され、押圧片３４と外筒蓋３２１との間に内蓋３３を摺動する摺動路が形成される。内蓋３３の左右両端は外方へ延出して水平方向の摺動片３３１が形成され、摺動片３３１は摺動路内で前後に摺動して、内蓋３３が衣類投入口３２１１を開放または閉鎖させる。図１６〜図１７を参照のこと。
【０１１４】
内蓋３３と外筒蓋３２１との間の緊密性をさらに増加するために、押圧片３４と摺動片３３１の構造を設置する。摺動片３３１の縁部は上向きに折り曲げた縁３３１１が設置され、つまり、摺動片３３１は上向きに折り曲げた縁部３３１１を設置することによって平坦なＬ字状構造が形成される。押圧片３４の内側は下向きに湾曲した縁部３４１を有し、つまり、押圧片３４は下向きに湾曲した縁部３４１を設置することによって同じく平坦なＬ字状構造が形成され、そして２個のＬ字状構造は相互に係止して、または上向きに折り曲げた縁部３３１１が下向きに湾曲した縁部３４１より外側に位置する。押圧片３４と摺動片３３１とを相互に係止するよう設置することによって、内蓋３３と押圧片３４との間の結合をさらに緊密させ、内蓋３３が前後に摺動する時の安定性を保証し、同時に内蓋３３が閉鎖位置にある時、第２の外筒３２内の水蒸気は摺動片３３１を介して漏れにくい。さらに第２の自動洗濯システムが加熱する時に水蒸気が内蓋３３と外筒蓋３２１との間のスリットから漏れることを防止するために、押圧片３４に垂直に下向きのバッフル板３４２が設置され、バッフル板３４２は上向きに折り曲げた縁部３３１１の外側に位置し、つまり、上向きに折り曲げた縁部３３１１は押圧片３４と、バッフル板３４２と、下向きに湾曲した縁部３４１が囲んだ空間内に位置する。第２の外筒３２における水蒸気は摺動片３３１から漏れ出す時にバッフル板３４２によって遮断され、さらに水蒸気は摺動片３３１と外筒蓋３２１との間のスリットから漏れることを防止し、同時に上向きに折り曲げた縁部３３１１は押圧片３４と、バッフル板３４２と、下向きに湾曲した縁部３４１とが囲む空間内のみを前後に移動することができ、摺動の安定性をさらに向上する。図１８〜図１９を参照のこと。
【０１１５】
押圧片３４を外筒蓋３２１に取り付ける具体的態様は、例えば直接にネジによって固定するなどの多種形式を用いることができる。本実施例では、外筒蓋３２１に若干の取付柱３２１２を設置することによって、押圧片３４上に取付柱３２１２に対応するネジ穴を設置し、ネジによって押圧片３４を取付柱３２１２に固定する。好ましくは、取付柱３２１２の高さはバッフル板３４２の高さに等しく、または少しバッフル板３４２の高さより大きい。押圧片３４の実装後の安定性を高めるために、隣接した取付柱３２１２との間にそれらを連結する連結板を設置し、連結板の高さは位置決め柱３２１２の高さと等しい。押圧片３４を取り付けた後に、押圧片３４の下面は取付柱３２１２の上面と、連結板上面と同時に接触し、よって、連結板が取付柱３２１２を補強する役割を果たしていると同時に、押圧片３４を支持する役割を果たし、押圧片３４を取り付けた後、さらに安定する。
【０１１６】
内蓋３３のコストを低下するために、内蓋３３は常にできるだけ薄く設計されなければならないが、同時に内蓋３３の強度を保証する必要があるので、内蓋３３を上に向かってアーチ状の構造に設計することで、内蓋３３の強度を増加させ、縁部から中心に向かって内蓋３３の高さは徐々に増加し、外筒蓋３２１に対応する内蓋３３の中心部の高さは最大である。内蓋３３は外筒蓋３２との間に接触し、緊密性を増加し、第２の外筒３２内の水蒸気の漏れを防止する。内蓋３３の周辺から外方へ延出して形成された水平のシール縁部を設置し、つまり、上に向かってアーチ構造の縁部は外方へ延出して水平のシール縁部が形成され、水平のシール縁部は外筒蓋３２１に接触し、内蓋３３が閉鎖位置にある時に外筒蓋３２１と緊密に接触することを保証する。内蓋３３の左右方向のシール縁部は上記に説明した摺動片３３１である。
【０１１７】
さらに、第２の外筒３２内の水蒸気の漏れ出しを防止するために、外筒蓋３２１の後部にストッパ−バッフル３２１３が設置され、内蓋３３が閉鎖位置にある時、内蓋３３の後端はストッパ−バッフル３２１３と接触する。図１７を参照のこと。
【０１１８】
内蓋３３は前後で摺動する時、位置決め構造を設置することによって内蓋３３が投入口を閉鎖する位置に摺動する時に内蓋３３をロックすることを保証する。具体的には、内蓋３３と外筒蓋３２１に相互に嵌合する位置決め構造が設置され、この位置決め構造は位置決め柱と係合溝とする。本実施例では、外筒蓋３２１の前部の上面に位置決め柱３２１４が設置され、内蓋３３の下面に係合溝３３２が設置され、内蓋３３が後方に向かって衣類投入口３２１１を閉鎖する閉鎖位置に摺動する時、内蓋３３上の係合溝３３２はちょうど位置決め柱３２１４に係合し、内蓋３３が再び後方に向かって摺動することができない。そして係合溝３３２は位置決め柱３２１４を係合し、内蓋３３が自ら前方に向かって移動することができない。図１５と図２０を参照のこと。
【０１１９】
勿論、他の実施例では、外筒蓋３２１に係合溝を設置してもよく、内蓋３３に位置決め柱を設置してもよい。
【０１２０】
図２０と図２１に示すように、係合溝３３２は内蓋３３の下面に設置され、内蓋３３の縁部のシール縁部だけは外筒蓋３２１と接触するので、内蓋３３の他の部分のシール縁部は内に向かって全て上向きのアーチ状とし、よって、外筒蓋３２１上の位置決め柱３２１４は内蓋３３の摺動に影響することはない。係合溝３３２は開口方向に前向きのＣ字状の槽とし、係合溝３３２の一端に内側に湾曲した、弾性を有する掴み具３３２１が設置され、掴み具３３２１は係合溝３３２の一端の下部に連結され、つまり、掴み具３３２１の高さは係合溝３３２の高さより小さい。位置決め柱３２１４が係合溝３３２内に位置する時、掴み具３３２１は位置決め柱３２１４を係合して、位置決め柱３２１４は係合溝３３２を離脱することなく、つまり、内蓋３３が閉鎖位置にある時、係合溝３３２と位置決め柱３２１４とはロックし、内蓋３３は第２の自動洗濯システムが洗い行程において震動、揺れなどによって自ら開放することができないことを保証する。洗濯が完了すると、内蓋３３を手動で前方に向かって移動させる必要があり、係合溝３３２を位置決め柱３２１４から離脱させ、内蓋３３を開放する。内蓋３３が閉鎖する時、位置決め柱３２１４が係合溝３３２中に進入しやすくするために、掴み具３３２１の端部に外向きに湾曲した縁部が設置され、係合溝３３２の他端は外方へ延出してガイド部３３２２が形成され、内蓋３３が後方に向かって摺動して投入口を閉鎖する時、位置決め柱３２１４は掴み具３３２１の端部の湾曲した縁部とガイド部３３２２との間に位置し、湾曲した縁部とガイド部３３２２によってガイドされ、位置決め柱３２１４は係合溝３３２に進入及び係合し易くなる。
【０１２１】
内蓋３３の下面の後端にストッパ３３３が設置され、内蓋３３が前方へ摺動して衣類投入口３２１１を開放し、内蓋３３は収容領域７に進入し始め、開放位置に到達する時、ストッパ３３３は衣類投入口３２１１の前端に接触して、内蓋３３は再び前方へ摺動することができず、内蓋３３が外筒蓋３２１から離脱することを防止する。図２４を参照のこと。
【０１２２】
図１４と図１６に示すように、外筒蓋３２１と第２の外筒３２との外径が同じであることによって、内蓋３３が開放過程に、内蓋３３は前方へ移動して収容領域に進入し、この時、内蓋３３の前部は徐々に外筒蓋３２１から離脱する。内蓋３３を支持し、内蓋３３の水平摺動を保証し、及び内蓋３３と外筒蓋３２１との間の緊密性を保証するために、外筒蓋３２１の前方に受け板３７が設置され、受け板３７の上面と外筒蓋３２１の上面とは同一水平面内にあり、内蓋３３を開放する時、内蓋３３は外筒蓋３２１から受け板３７に摺動する。本実施例では、受け板３７は燕尾状とし、主に内蓋３３の左右両側の摺動片３３１を支持する。受け板３７を設置することによって、内蓋３３が水平に摺動することを保証し、内蓋３３が開放する時に内蓋３３の前部が宙釣り、垂下することによって、摺動片３３１が変形する問題を引き起こすことを防止し、内蓋３３と外筒蓋３２１との間の緊密性を保証した。
【０１２３】
図１４〜図１６、図２２〜図２５に示すように、第２の自動洗濯システム３の外筒蓋上に設置されたワイパーブレードの構造を説明し、例えば、第２の自動洗濯システム３が洗い行程において加熱機能を起動した場合、水蒸気は上へ蒸発する時に閉鎖した内蓋３３に遭遇して、一部の水蒸気は内蓋３３の下面に凝結して水滴を形成する。洗濯が完了したが内蓋３３上に水滴が掛かる。内蓋が開放した後に上面の水滴がハウジング１に滴下することを防止するために、外筒蓋３２１の前部にワイパーブレード３５が設置され、ワイパーブレード３５は内蓋３３の下面に接触し、内蓋３３が開放する時、ワイパーブレード３５は内蓋３３の下面の水滴を掻き落とす。ワイパーブレード３５を設置することによって、洗濯機の安全性を増加し、使用寿命を延長した。内蓋３３の下面は水滴が滴下する外筒を有し、最終的にハウジング１のベースに落ち、金属のハウジングにさびを発生させたり、さらに滴下により電気デバイスの安全上の問題が発生することを防止する。
【０１２４】
ワイパーブレード３５は一枚の薄板材とし、ワイパーブレード３５は外筒蓋３２１に設置され、内蓋が上向きのアーチ構造とすることによって、ワイパーブレード３５は一定角度で浮き上がり、ワイパーブレード３５の上部を内蓋３３に接触させる。内蓋３３が開放する時、内蓋３３の下面の水滴はワイパーブレード３５に遮り止められる。ワイパーブレード３５を後方に向かって傾斜するよう設置し、つまり、内蓋３３の閉鎖方向へ傾斜し、ワイパーブレード３５は外筒蓋３２１が位置する水平面との間に１０度〜９０度を呈する角度を設置し、ワイパーブレード３５の上部が内蓋に接触する位置は衣類投入口３２１１の上方に位置し、このように、掻き落とした水滴を直接に内筒に滴下させ、そして内蓋３３が開放する時の摺動方向はワイパーブレード３５の傾斜方向と相反し、ワイパーブレード３５は内蓋３３にさらに緊密に接触し、内蓋３３の下面の水滴をさらに完全に掻き落とす。図２４と図２５を参照のこと。
【０１２５】
好ましくは、ワイパーブレード３５と外筒蓋３２１が位置する水平面との間に１０度〜３０度を呈する角度を設置し、またはワイパーブレードの本体３５２１と衣類投入口３２１１が位置する水平面との間に１０度〜３０度を呈する角度とし、さらに好ましくは、ワイパーブレードの本体３５２１と外筒蓋３２１が位置する水平面との間に２５度を呈する角度とし、このように、ワイパーブレード３５が浮き上がる角度は小さく、ワイパーブレード３５によって掻き落とす内蓋３３上の水滴はワイパーブレード３５に沿って流下せず、内筒中に直接落下する。
【０１２６】
ワイパーブレード３５と内蓋３３とが緊密に接触するために、ワイパーブレード３５は例えばコムなどの弾性材料を用いて作られる。ワイパーブレード３５は弾性を有し、ワイパーブレード３５と内蓋３３とが緊密に接触し、内蓋３３上の水滴を更に十分に掻き落とす。勿論、他の実施例では、ワイパーブレードと内蓋とが接触した部位は弾性材料として設置する。
【０１２７】
内蓋３３を開放する過程において、ワイパーブレード３５の上部は内蓋３３と接触し、内蓋３３はワイパーブレード３５に前方に向かう力を与え、よって、ワイパーブレード３５は外筒蓋３２１上に堅固に固定する。ワイパーブレード３５の下端に取付ブロック３５１が設置され、内槽蓋３２１上に取付ブロック３５１に適合する取付溝３２１５が開設され、取付ブロック３５１は取付溝３２１５内に取り付けられる。取付ブロック３５１と取付溝３２１５とは全て正方形とし、取付ブロック３５１は内蓋３３からの前方に向かう方向の力を受ける時、受け力の面積が大きく、安定性がよい。ワイパーブレード３５を実装した後に堅固な固定を保証した。ワイパーブレード３５と取付ブロック３５１は一体に射出成形され、成形後のワイパーブレード３５は取付ブロック３５１に対して浮き上がり、ワイパーブレード３５と取付ブロック３５１の上面が位置する平面との間に１０度〜３０度の角度を有し、このように、取付ブロック３５１を取付溝３２１５に取り付けた後、ワイパーブレード３５と外筒蓋３２１が位置する水平面との間の角度は１０度〜３０度とし、ワイパーブレード３５が水を掻き落とす機能を保証した。
【０１２８】
外筒蓋３２１の前部に位置決め柱３２１４を備え、取付溝３２１５は位置決め柱３２１４の後方に設置する。図２３を参照のこと。
【０１２９】
さらにワイパーブレード３５を外筒蓋３２１上に堅固に固定することを保証するために、取付ブロック３５１と取付溝３２１５にそれぞれ適合する固定構造が設置され、固定構造は固定孔と固定柱とする。本実施例では、取付溝３２１５に固定柱３２１５１が設置され、取付ブロック３５１に固定柱３２１５１に適合する固定孔３５１１が開設されている。取付ブロック３５１が取付溝３２１５に取り付けられる時、固定柱３２１５１を固定孔３５１１中に挿入し、取付ブロック３５１を取付溝３２１５に取り付け、取付ブロック３５１の堅牢性をさらに向上した。勿論、取付ブロック３５１上の固定孔３５１１の高さは取付ブロック３５１の高さより小さく設置され、つまり、固定孔３５１１はめくら穴とし、取付ブロック３５は外筒蓋３２１に取り付けられた後、ユーザは固定構造が見えず、外観の美しさを保証した。
【０１３０】
本実施例中の洗濯分類機能を有する洗濯機の防水方法は以下の通りである。即ち、内蓋３３を押え、水平に摺動して開放し、内蓋３３の内面を接触するワイパーブレード部３５２が通過して、内蓋３３の内面上を掛ける水滴はワイパーブレード部３５２に遮り止められ、よって、ワイパーブレード部３５２を接触した内蓋３３の部分には水滴がなくなる。水滴はワイパーブレード部３５２にある程度集まった後に内筒中に滴下できる。このように、内蓋３３の表面の水滴を地面に滴下し、またはハウジングの頂部に滴下してさらに地面に滴下し、ユーザに不便を引き起こすことを防止する。
【０１３１】
図１６、図２６及び図２７に示すように、第２の自動洗濯システム３上に設置された、内蓋と連動する微動スイッチを説明する。第２の自動洗濯システム３は加熱機能を有し、もし内蓋３３が閉鎖位置に到達しなければ、または洗い行程において内蓋３３が閉鎖位置から離脱すれば、衣類を飛び出させる可能性があり、水蒸気が漏れることによって、ユーザに火傷を負わせ、部品のさびなどの問題を引き起こす。よって、外筒蓋３２１に内蓋３３が制御した微動スイッチ３６が設置されている。内蓋３３が閉鎖位置にある時、微動スイッチ３６がオンとなり、第２の自動洗濯システム３を起動することができる。内蓋３３が開放する時、つまり、内蓋３３は閉鎖位置から離れ、微動スイッチ３６がオフとなる。微動スイッチは第２の自動洗濯システム３の制御電子回路にスイッチ３６と直列される。内蓋３３は閉鎖位置になく、微動スイッチ３６がオフとなり、表示動作モジュールによって第２の自動洗濯システム３を起動する時、第２の自動洗濯システム３を起動することができない。第２の自動洗濯システム３が洗い行程において、内蓋３３が開放し、閉鎖位置から離れて、第２の自動洗濯システム３は直ちに停止する。内蓋３３により作動する微動スイッチ３６を設置することによって、第２の自動洗濯システム３が洗い行程において、内蓋３３が閉鎖位置にあることを保証し、水蒸気が漏れ、衣服が飛び出すことによって、ユーザに火傷を負わせ、部品のさびなどの問題を引き起こすことを防止する。
【０１３２】
本実施例では、図２６及び図２７に示すように、微動スイッチ３６を外筒蓋３２１の後部に設置し、微動スイッチ３６の前端面に前方へ突出したスイッチプローブ３６１を設置され、内蓋３３が閉鎖位置にある時、内蓋３３はスイッチプローブ３６１に接触し、微動スイッチ３６をオンにする。内蓋３３の前後方向に摺動することによって閉鎖し、または開放し、微動スイッチ３６に前方へ突出したスイッチプローブ３６１が設置され、内蓋３３が閉鎖した時、閉鎖位置に到達するまで前方へ摺動し、内蓋３３の後端面はてスイッチプローブ３６１を押し付け、微動スイッチ３６をオンにする。スイッチプローブ３６１を前方へ突出し、内蓋３３上に専用のトリガ構造を設置しなくてもよく、内蓋３３の先端面でスイッチプローブ３６１をトリガすることができ、微動スイッチ３６をオンにする。連動構成を簡単にし、コストを減らす。
【０１３３】
使用過程において水滴が微動スイッチ３６上に滴下することを防止するために、微動スイッチ３６をケース３２１６内に配置し、ケース３２１６を外筒蓋３２１上に固定する。スイッチプローブ３６１がケース３２１６を延出するために、ケース３２１６の前壁にスイッチプローブ３６が延出するための貫通孔が設置されている。ケース３２１６を設置することによって、微動スイッチ３６の使用安全を保証し、水滴が微動スイッチ３６に滴下し、使用寿命を低下させることを防止する。ケース３２１６は、ケース本体と、上蓋と、を備え、ケース本体は外筒蓋３２１と一体に射出成形されたものである。
【０１３４】
図２７に示すように、微動スイッチ３６をケース３２１６に配置した後、スイッチプローブ３６１が貫通孔から突出し、同時にスイッチプローブ３６１を接触することを防止するために、スイッチプローブ３６１がケース３２１６の外側に突出しないよう設置し、よって、内蓋３３にスイッチプローブ３６１に適合する接触子３３４を設置し、接触子３３４は内蓋３３から後方に向かって突出する。内蓋３３が閉鎖位置にある時、接触子３３４は後方に向かってスイッチプローブ３６１を押し付けて、微動スイッチ３６をオンにする。
【０１３５】
閉鎖位置にある内蓋３３の密閉性のために、さらに外筒蓋３２１の後部にストッパ−バッフル３２１３が設置されている。内蓋３３が閉鎖位置にある時、内蓋３３の後端面はストッパ−バッフル３２１３と接触する。また、内蓋３３が閉鎖位置にある時、内蓋３３の先端面はケース３２１６の先端面と接触し、つまり、ケース３２１６の先端面をストッパ−バッフル３２１３の一部分として、またはストッパ−バッフル３２１３がケース３２１６に切断される。
【０１３６】
以上に説明したのは、本発明の好ましい実施例であり、本発明を他の形式で制限するものではなく、当業者は上記に開示の技術的内容と同等の変化とする等価の実施例を変更または変形することができる。しかし、本発明の技術的解決手段内容から逸脱せず、本発明の実質的技術に基づいて上記の実施例を如何に簡単に修正、同等の変化と変形は、依然として本発明の技術的解決手段の保護範囲に属する。
【図１】
0006722202.tif 000002
【図２】
0006722202.tif 000003
【図３】
0006722202.tif 000004
【図４】
0006722202.tif 000005
【図５】
0006722202.tif 000006
【図６】
0006722202.tif 000007
【図７】
0006722202.tif 000008
【図８】
0006722202.tif 000009
【図９】
0006722202.tif 000010
【図１０】
0006722202.tif 000011
【図１１】
0006722202.tif 000012
【図１２】
0006722202.tif 000013
【図１３】
0006722202.tif 000014
【図１４】
0006722202.tif 000015
【図１５】
0006722202.tif 000016
【図１６】
0006722202.tif 000017
【図１７】
0006722202.tif 000018
【図１８】
0006722202.tif 000019
【図１９】
0006722202.tif 000020
【図２０】
0006722202.tif 000021
【図２１】
0006722202.tif 000022
【図２２】
0006722202.tif 000023
【図２３】
0006722202.tif 000024
【図２４】
0006722202.tif 000025
【図２５】
0006722202.tif 000026
【図２６】
0006722202.tif 000027
【図２７】
0006722202.tif 000028